(57)【特許請求の範囲】
【請求項１】
一面及び他面が周面より広い薄板状をなし、トイレ室に設けられた便器装置を該トイレ室で作動可能なリモコンにおいて、
少なくとも前記周面が前記便器装置を作動させ得る操作面とされ、該操作面が壁面に対して最も遠くなるように該便器装置の周辺の該壁面に取り付けられることを特徴とするリモコン。
【請求項２】
下面にトイレットペーパホルダが一体に設けられていることを特徴とする請求項１記載のリモコン。
【請求項３】
一面又は他面も便器装置を作動させ得る操作面とされていることを特徴とする請求項１又は２記載のリモコン。
【請求項４】
周面の操作面は一面又は他面に対して傾斜されていることを特徴とする請求項１、２又は３記載のリモコン。
【請求項５】
一面又は他面に物品を載置可能であることを特徴とする請求項１、２、３又は４記載のリモコン。
【請求項６】
周面の操作面にはスイッチが長手方向に配列されていることを特徴とする請求項１、２、３、４又は５記載のリモコン。
【発明の詳細な説明】
【０００１】
【発明が属する技術分野】
本発明は便器装置を作動可能なリモコンに関する。
【０００２】
【従来の技術】
例えば、トイレ室では、図７に示すように、シャワートイレ等の電気制御可能な便器装置９２が設けられているとともに、この便器装置９２の周辺の壁面９１にその便器装置９２を作動可能なリモコン９６、棚９３、ペーパーホルダ９４、タオル掛け９５等が設けられ得る。ここで、リモコン９６は、壁面９１に固定される図示しないリモコンホルダ等により着脱可能になされることが一般的である。そして、従来のリモコン９６は、一面及び他面が周面より広い薄板状をなし、その一面又は他面が便器装置９２を作動させ得る操作面９６ａとされている。
【０００３】
【発明が解決しようとする課題】
しかし、従来のリモコン９６は、周面より面積の大きい一面又は他面を操作面９６ａとしているため、壁面９１への取付け方法によっては、操作面９６ａが使用者から遠い位置にあることとなり、使用者にとっての操作が困難となる。このため、リモコン９６を壁面９１より取外し、棚９３の上面９３ａにこれを置いて使用する使用者もおり、これにより操作面９６ａが上方を向いてしまってリモコン９６の視認性及び操作性をかえって低下させる場合もある。
【０００４】
このようなことは、トイレ室に限らずキッチン、リビングルーム等においても起こり得る。
【０００５】
本発明は、上記従来の実情に鑑みてなされたものであって、操作面を使用者に近づけることができ、これにより視認性及び操作性を確実に確保できるリモコンを提供することを解決すべき課題としている。
【０００６】
【課題を解決するための手段】
本発明のリモコンは、一面及び他面が周面より広い薄板状をなし、トイレ室に設けられた便器装置を該トイレ室で作動可能なリモコンにおいて、
少なくとも前記周面が前記便器装置を作動させ得る操作面とされ、該操作面が壁面に対して最も遠くなるように該便器装置の周辺の該壁面に取り付けられることを特徴とする。
【０００７】
本発明のリモコンは、一面及び他面が周面より広い薄板状をなし、少なくとも周面が操作面とされているため、壁面に対してその操作面が最も遠くなるように取付けることにより、操作面が使用者に近い位置にあることとなり、使用者にとっての操作が容易である。
【０００８】
また、本発明のリモコンは、壁面より取外し、例えば棚の上面に置いて使用する場合であっても、操作面が上を向くことはない。壁面に対してその操作面が最も遠くなるように位置させれば、操作面がやはり使用者に近い位置にあることとなり、使用者にとっての操作が容易である。
【０００９】
したがって、本発明のリモコンによれば、操作面を使用者に近づけることができ、これにより視認性及び操作性を確実に確保することができる。
【００１０】
本発明のリモコンでは、一面又は他面も便器装置を作動させ得る操作面とすることができる。これにより、使用者は親指で操作面を操作しやすくなる。特に、リモコンを棚として使用した場合、使用者はリモコンの上に肘をつきながらその操作が容易となる。
【００１１】
周面の操作面は一面又は他面に対して傾斜されていることが望ましい。特に、操作面は使用者に対面して傾斜されていることが望ましい。これらにより、使用者がリモコンの操作面を最も見易く、操作しやすい。
【００１２】
上方に位置する一面又は他面は中央から縁部に向けて下方に傾斜していることが好ましい。こうであれば、上方に位置する一面又は他面に水が存在する場合でも、その水が落ちやすいため、リモコンが乾燥し易くなり、汚れ難くなる。
【００１３】
また、リモコンの一面又は他面を物品が載置可能な載置面とすることもできる。本発明のリモコンでは、少なくとも周面が操作面とされているため、操作面全体を上面としない限り、その上面に自由に物品を載置できる。このため、このリモコンを壁面に取り付けたり、棚の上面にこのリモコンを載置したりしても、そのリモコンの上面に物品を載置できることから、トイレ室等の煩雑化を有効に防止することができる。
【００１４】
また、周面が操作面である場合、その周面は面積が小さいことから、スイッチを長手方向に配列することが好ましい。こうであれば、スイッチ自体を小さくしたり、煩雑に配置しなくてもよいことから、誤操作を防止できる。
【００１５】
本発明のリモコンは、住居等において比較的狭い空間であるトイレ室において効果が大きい。特に、リモコンがシャワートイレ等の便器装置を作動するものである場合に効果が大きい。これらにより、狭いトイレ室内での視認性及び操作性を確実に確保することができるとともに、トイレ室の煩雑化を有効に防止することができる。
【００１６】
本発明のリモコンにおいては、便器装置から送出されたその機能又は使用者の健康状態を示す情報を表示することもできる。こうであれば、便器装置の機能を表示することにより、快適な使用環境を作り出すことができる。また、使用者の健康状態を表示することにより、簡易に健康管理を行うことができる。
【００１７】
【発明の実施の形態】
以下、本発明を具体化した実施形態１〜４を図面を参照しつつ説明する。
（実施形態１）
図１に示すように、実施形態１のリモコン３は住居において比較的狭い空間であるトイレ室で使用されている。つまり、このトイレ室では、シャワートイレ一体型の便器装置２が設けられているとともに、この便器装置２の周辺の壁面１にリモコン３が設けられている。
【００１８】
このリモコン３は、一面である上面３ｂ及び他面である下面３ｃが周面より広い薄板状をなしており、リモコン３の周面の一面３ｄを図示しないブラケットからなるリモコンホルダにより壁面１に固定し、一面３ｄと対向する周面の他の一面を操作面３ａとしている。このリモコン３は、便器装置２の使用者が腕や手をその上面３ｂに乗せる場合もあり得ることから、比較的低い位置に設けられている。こうして、リモコン３の水平な上面３ｂには物品を載置可能である。
【００１９】
また、図２にも示すように、リモコン３の操作面３ａは使用者に対面すべく鉛直に対して下り勾配をなして傾斜している。この操作面３ａには主操作ボタンスイッチ３ｅ及び副操作ボタンスイッチ３ｆが水平方向で一列をなして配置されている。ここで、主操作ボタンスイッチ３ｅは洗浄スイッチ等の使用頻度の高いスイッチであり、副操作ボタンスイッチ３ｆは温度設定スイッチ等の使用頻度の低いスイッチである。さらに、下面３ｃの操作面３ａ側の一端と、この一端とは逆側で操作面３ａに隣接する側面の操作面３ａ側とには、便器装置２にリモコンの入力信号を発信するとともに、便器装置２の機能又は使用者の健康状態に係る出力信号がリモコン３へ受信される発光・受光部３ｉ（一方のみ図示）が設けられている。そして、操作面３ａには、発光・受光部３ｉで受信された便器装置２の機能又は使用者の健康状態を示す情報を表示する表示器３ｈが配置されている。
【００２０】
以上のように構成されたリモコン３では、壁面１に対して操作面３ａが最も遠くなるように取付けられるため、操作面３ａが便器装置２の使用者に近い位置にあることとなり、使用者にとっての操作が容易である。特に、このリモコン３は、操作面３ａが鉛直に対して下り勾配で傾斜しているため、使用者がリモコン３の操作面３ａを最も見易く、操作しやすい。
【００２１】
また、このリモコン３は、壁面１より取外し、例えば図７に示すような棚９３の上面９３ａに置いて使用する場合であっても、操作面３ａが上を向くことはない。その上面９３ａにおいて、壁面１に対してその操作面３ａが最も遠くなるように載置すれば、操作面３ａがやはり使用者に近い位置にあることとなり、使用者にとっての操作が容易である。
【００２２】
したがって、このリモコン３によれば、操作面３ａを使用者に近づけることができ、これにより比較的狭い空間であるトイレ室での視認性及び操作性を確実に確保することができる。
【００２３】
また、このリモコン３では、水平な上面３ｂに予備のトイレットペーパ等の物品を載置可能であるため、そのトイレ室の煩雑化を有効に防止することができる。
【００２４】
さらに、このリモコン３では、操作面３ａに主操作ボタンスイッチ３ｅ及び副操作ボタンスイッチ３ｆを長手方向に配列しているため、それらボタンスイッチ３ｅ、３ｆ自体を小さくしたり、煩雑に配置しなくてもよいことから、誤操作を防止できる。
【００２５】
また、このリモコン３では、操作面３ａに配置された表示器３ｈにより便座の温度、温水の温度等の便器装置２の機能を表示できるため、快適な使用環境を作り出すことができる。さらに、この表示器３ｈにより体重、体脂肪等の使用者の健康状態を表示できるため、簡易に健康管理を行うことができる。
【００２６】
（実施形態２)
図３に示すように、実施形態２のリモコン４の操作面４ａは上面４ｂ及び下面４ｃに対して垂直である。この操作面４ａには主操作ボタンスイッチ４ｅ及び副操作ボタンスイッチ４ｆが水平方向で一列をなして配置されている他、表示器４ｈが配置されている。また、主操作ボタンスイッチ４ｅは操作面４ａから上面４ｂにかかるように配置されている。さらに、下面４ｃの操作面４ａ側の一端と、この一端とは逆側で操作面４ａに隣接する側面の操作面４ａ側とに発光・受光部４ｉ（一方のみ図示）が設けられている。他の構成は上記実施形態１のものと同様である。
【００２７】
以上のように構成されたリモコン４では、主操作ボタンスイッチ４ｅが操作面４ａと上面４ｂとに跨って配置されているため、使用者はリモコン４の上面４ｂに肘をつきながら親指で主操作ボタンスイッチ４ｅを操作可能となる。また、このリモコン４においても、上面４ｂに物品を載置することにより、トイレ室の煩雑化を防止することができる。他の作用及び効果は上記実施形態１と同様である。
【００２８】
（実施形態３)
図４に示すように、実施形態３のリモコン５はその下面５ｃに１個又は複数個の吸盤５ｇが設けられている。リモコン５はこの吸盤５ｇにより棚６に固定されるようになっている。操作面５ａには主操作ボタンスイッチ５ｅ及び副操作ボタンスイッチ５ｆが水平方向で一列をなして配置されている他、表示器５ｈも配置されている。他の構成は上記実施形態１のものと同様である。
【００２９】
以上のように構成されたリモコン５は、吸盤５ｇにより壁面１に対してその操作面５ａが最も遠くなるように棚６の水平な上面６ａにしっかりと固定され、これにより操作面５ａがやはり使用者に近い位置にあることとなり、使用者にとっての操作が容易である。また、このリモコン５においても、上面５ｂに物品を載置することにより、トイレ室の煩雑化を防止することができる。
【００３０】
なお、このリモコン５は、水平な上面５ａばかりでなく、傾斜した面や垂直な面であっても固定することが可能である。他の作用及び効果は上記実施形態１と同様である。
【００３１】
（実施形態４)
図５に示すように、実施形態４のリモコン７の下面７ｃには、市販のトイレットペーパホルダ８が一体に設けられている。トイレットペーパホルダ８は、トイレットペーパＲを軸心回りに回動可能に支承するホルダ本体８ａとトイレットペーパＲを切り取り可能な紙切板８ｂとを有する。
【００３２】
リモコン７の操作面７ａには主操作ボタンスイッチ７ｅ及び副操作ボタンスイッチ７ｆが水平方向で一列をなして配置されている他、表示器７ｈも配置されている。さらに、下面７ｃの操作面７ａ側の一端と、この一端とは逆側で操作面７ａに隣接する側面の操作面７ａ側とに発光・受光部７ｉ（一方のみ図示）が設けられている。他の構成は上記実施形態１のものと同様である。
【００３３】
以上のように構成されたリモコン７では、便器装置２の使用者の限られた触手範囲において、リモコン７及びトイレットペーパホルダ８をほぼ同位置に設けていることから、美観と操作性とを両立することができる。また、このリモコン７でも上面７ｂに物品を載置することができることから、トイレ室の煩雑化を防止することができる。他の作用及び効果は上記実施形態１と同様である。
【００３４】
なお、上記実施形態４においては、トイレットペーパホルダ８の前面又は側面に発光・受光部を設けることもできる。
【００３５】
（変形形態）
さらに、上記実施形態１〜４において、リモコン３、４、５、７として図６に示す形状のリモコン８２を使用することもできる。
【００３６】
図６に示すように、リモコン８２の上面８２ｂが中央を最も高くして左右対称に傾斜しており、これにより上面８２ｂは中央から縁部に向けて下方に傾斜している。このリモコン８２では、上面８２ｂに水が存在する場合でも、その水が上面８２ｂに沿って落ちやすいため、リモコン８２の上面８２ｂが乾燥し易くなり、汚れ難くなっている。なお、リモコン８２の上面は曲面とすることもできる。
【図面の簡単な説明】
【図１】実施形態１のリモコンに係るトイレ室の斜視図である。
【図２】実施形態１のリモコンの斜視図である。
【図３】実施形態２のリモコンの斜視図である。
【図４】実施形態３のリモコンの正面図である。
【図５】実施形態４のリモコンの斜視図である。
【図６】変形形態のリモコンの正面図である。
【図７】従来のトイレ室の側面図である。
【符号の説明】
２…便器装置
３、４、５、７、８２…リモコン
３ｂ、４ｂ、５ｂ、７ｂ、８２ｂ…一面（上面）
３ｃ、４ｃ、５ｃ、７ｃ…他面（下面）
３ａ、４ａ、５ａ、７ａ…周面（操作面）
３ｅ、４ｅ、５ｅ、７ｅ…スイッチ（主操作ボタンスイッチ）
３ｆ、４ｆ、５ｆ、７ｆ…スイッチ（副操作ボタンスイッチ）
【図１】
0004230084.tif 000002
【図２】
0004230084.tif 000003
【図３】
0004230084.tif 000004
【図４】
0004230084.tif 000005
【図５】
0004230084.tif 000006
【図６】
0004230084.tif 000007
【図７】
0004230084.tif 000008